(57)【要約】【課題】  入力枠領域のサイズを変更することにより小型化を確保すると共に手書き入力における操作性の向上を図る。【解決手段】  各種の情報を有する表示画面５が表示されるディスプレイ３と、該ディスプレイに組み込まれ手書き入力を行うための複数の入力枠領域７、７、・・・を有するタッチパネル３ａとを設け、複数の入力枠領域のうちの１つを、手書き入力の対象とされている対象入力枠領域７Ａ（７Ｂ、７Ｃ、・・・）として他の入力枠領域より大きく表示するようにした。【選択図】図１０
2006011680.tif 000002
【特許請求の範囲】
【請求項１】
各種の情報を有する表示画面が表示されるディスプレイと、
該ディスプレイに組み込まれ手書き入力を行うための複数の入力枠領域を有するタッチパネルとを備え、
複数の入力枠領域のうちの１つを、手書き入力の対象とされている対象入力枠領域として他の入力枠領域より大きく表示するようにした
ことを特徴とする情報処理装置。
【請求項２】
上記複数の入力枠領域を互いに隣接して表示し、
上記対象入力枠領域から遠去かるに従って他の入力枠領域を漸次小さく表示するようにした
ことを特徴とする請求項１に記載の情報処理装置。
【請求項３】
上記入力枠領域を少なくとも３つ設け、
上記対象入力枠領域を複数の入力枠領域のうちの中央又は中央寄りの位置に表示するようにした
ことを特徴とする請求項１に記載の情報処理装置。
【請求項４】
上記入力枠領域を少なくとも３つ設け、
上記対象入力枠領域を複数の入力枠領域のうちの中央又は中央寄りの位置に表示するようにした
ことを特徴とする請求項２に記載の情報処理装置。
【請求項５】
各種の情報を有する表示画面が表示されるディスプレイと、該ディスプレイに組み込まれ手書き入力を行うための複数の入力枠領域を有するタッチパネルとを備えた情報処理装置における画面制御プログラムであって、
表示画面上で移動されるポインターが上記入力枠領域内に存在するか否かを検出する検出工程と、
該検出工程においてポインターが入力枠領域内に存在したことが検出されたときに、ポインターが存在する入力枠領域を他の入力枠領域より大きく表示する表示制御工程とを備えた
ことを特徴とする情報処理装置における画面制御プログラム。
【請求項６】
各種の情報を有する表示画面が表示されるディスプレイと、該ディスプレイに組み込まれ手書き入力を行うための複数の入力枠領域を有するタッチパネルとを備えた情報処理装置における画面表示方法であって、
表示画面上で移動されるポインターが上記入力枠領域内に存在するか否かを検出し、
該検出工程においてポインターが入力枠領域内に存在したことが検出されたときに、ポインターが存在する入力枠領域を他の入力枠領域より大きく表示するようにした
ことを特徴とする情報処理装置における画面表示方法。
【発明の詳細な説明】
【技術分野】
【０００１】
本発明は情報処理装置、情報処理装置における画面制御プログラム及び情報処理装置における画面表示方法についての技術分野に関する。詳しくは、ディスプレイに組み込まれ手書き入力を行うための複数の入力枠領域を有するタッチパネルを備えた情報処理装置において、入力枠領域のサイズを変更することにより小型化を確保しつつ手書き入力における操作性の向上を図る技術分野に関する。
【背景技術】
【０００２】
パーソナルコンピューターに代表される情報処理装置は、一般に、ディスプレイを有し、このディスプレイに各種の情報を有する表示画面が表示される。
【０００３】
このようなディスプレイを有する情報処理装置には、ディスプレイに所定の座標系を有するタッチパネル（タブレット）が一体化されて組み込まれ、ディスプレイに表示される表示画面に対して指や専用の入力ペン（スタイラス）を用いることにより選択操作や入力操作等の種々の操作を行うことができるものがある。入力ペン等による選択操作や入力操作はタッチパネルに対して行う。
【０００４】
タッチパネルが組み込まれた情報処理装置には、文字入力等を行うための複数の入力枠領域がディスプレイに表示され、各入力枠領域に対してマウスや入力ペン等を用いて手書きにより文字入力等を行うことにより、入力された文字がイメージデーターとしてディスプレイの所定の位置に表示されるものがある（例えば、特許文献１参照）。
【０００５】
【特許文献１】特開平８−３１４６３５号公報
【発明の開示】
【発明が解決しようとする課題】
【０００６】
ところが、上記した情報処理装置にあっては、全ての入力枠領域のサイズが一定の大きさとされているため、表示可能な入力枠領域の数がディスプレイの大きさに依存しており、ディスプレイに表示可能な入力枠領域の数が制限されるという不都合があった。
【０００７】
また、手書き入力の対象とされている入力枠領域、即ち、使用者が入力を行おうとしている入力枠領域である対象入力枠領域は、使用者の入力操作における操作性の向上を図るためにはサイズが大きいことが望ましいが、他の入力枠領域についても対象入力枠領域と同様の大きさであると、その分、無駄な領域がディスプレイを占有し情報処理装置の小型化を阻害するという問題もある。
【０００８】
そこで、本発明情報処理装置、情報処理装置における画面制御プログラム及び情報処理装置における画面表示方法は、上記した問題点を克服し、入力枠領域のサイズを変更することにより小型化を確保すると共に手書き入力における操作性の向上を図ることを課題とする。
【課題を解決するための手段】
【０００９】
本発明情報処理装置は、上記した課題を解決するために、各種の情報を有する表示画面が表示されるディスプレイと、該ディスプレイに組み込まれ手書き入力を行うための複数の入力枠領域を有するタッチパネルとを設け、複数の入力枠領域のうちの１つを、手書き入力の対象とされている対象入力枠領域として他の入力枠領域より大きく表示するようにしたものである。
【００１０】
本発明情報処理装置における画面制御プログラムは、上記した課題を解決するために、表示画面上で移動されるポインターが入力枠領域内に存在するか否かを検出する検出工程と、該検出工程においてポインターが入力枠領域内に存在したことが検出されたときに、ポインターが存在する入力枠領域を他の入力枠領域より大きく表示する表示制御工程とを備えたものである。
【００１１】
本発明情報処理装置における画面表示方法は、上記した課題を解決するために、表示画面上で移動されるポインターが入力枠領域内に存在するか否かを検出し、該検出工程においてポインターが入力枠領域内に存在したことが検出されたときに、ポインターが存在する入力枠領域を他の入力枠領域より大きく表示するようにしたものである。
【００１２】
従って、本発明情報処理装置、情報処理装置における画面制御プログラム及び情報処理装置における画面表示方法にあっては、必要に応じて所定の入力枠領域のサイズが大きくされる。
【発明の効果】
【００１３】
本発明情報処理装置は、各種の情報を有する表示画面が表示されるディスプレイと、該ディスプレイに組み込まれ手書き入力を行うための複数の入力枠領域を有するタッチパネルとを備え、複数の入力枠領域のうちの１つを、手書き入力の対象とされている対象入力枠領域として他の入力枠領域より大きく表示するようにしたことを特徴とする。
【００１４】
従って、表示可能な入力枠領域の数をディスプレイの大きさに制限されることなく増やすことができ、入力操作における使い勝手の向上を図ることができる。
【００１５】
また、入力枠領域のうち、入力に必要とされる対象入力枠領域のサイズのみが大きくされるため、ディスプレイ上の無駄な領域の占有面積を低減することができ、情報処理装置の小型化を図ることができる。
【００１６】
請求項２に記載した発明にあっては、上記複数の入力枠領域を互いに隣接して表示し、上記対象入力枠領域から遠去かるに従って他の入力枠領域を漸次小さく表示するようにしたので、一層の無駄な領域の占有面積の低減を図ることができる。
【００１７】
請求項３及び請求項４に記載した発明にあっては、上記入力枠領域を少なくとも３つ設け、上記対象入力枠領域を複数の入力枠領域のうちの中央又は中央寄りの位置に表示するようにしたので、常に、使用者が同じ位置に文字等を入力することができ、入力操作における一層の使い勝手の向上を図ることができる。
【００１８】
本発明情報処理装置における画面制御プログラムは、各種の情報を有する表示画面が表示されるディスプレイと、該ディスプレイに組み込まれ手書き入力を行うための複数の入力枠領域を有するタッチパネルとを備えた情報処理装置における画面制御プログラムであって、表示画面上で移動されるポインターが上記入力枠領域内に存在するか否かを検出する検出工程と、該検出工程においてポインターが入力枠領域内に存在したことが検出されたときに、ポインターが存在する入力枠領域を他の入力枠領域より大きく表示する表示制御工程とを備えたことを特徴とする。
【００１９】
従って、表示可能な入力枠領域の数をディスプレイの大きさに制限されることなく増やすことができ、入力操作における使い勝手の向上を図ることができる。
【００２０】
また、入力枠領域のうち、入力に必要とされる対象入力枠領域のサイズのみが大きくされるため、ディスプレイ上の無駄な領域の占有面積を低減することができ、情報処理装置の小型化を図ることができる。
【００２１】
本発明情報処理装置における画面表示方法は、各種の情報を有する表示画面が表示されるディスプレイと、該ディスプレイに組み込まれ手書き入力を行うための複数の入力枠領域を有するタッチパネルとを備えた情報処理装置における画面表示方法であって、表示画面上で移動されるポインターが上記入力枠領域内に存在するか否かを検出し、該検出工程においてポインターが入力枠領域内に存在したことが検出されたときに、ポインターが存在する入力枠領域を他の入力枠領域より大きく表示するようにしたことを特徴とする。
【００２２】
従って、表示可能な入力枠領域の数をディスプレイの大きさに制限されることなく増やすことができ、入力操作における使い勝手の向上を図ることができる。
【００２３】
また、入力枠領域のうち、入力に必要とされる対象入力枠領域のサイズのみが大きくされるため、ディスプレイ上の無駄な領域の占有面積を低減することができ、情報処理装置の小型化を図ることができる。
【発明を実施するための最良の形態】
【００２４】
以下に、本発明情報処理装置、情報処理装置における画面制御プログラム及び情報処理装置における画面表示方法の最良の形態を添付図面に従って説明する。
【００２５】
尚、本発明情報処理装置は、パーソナルコンピューター等の情報処理装置、ＰＤＡ（Personal Digital Assistant）、ネットワーク端末、携帯情報端末、ワークステーション、携帯電話等の各種の情報処理装置に広く適用することができ、本発明情報処理装置における画面制御プログラム及び情報処理装置における画面表示方法は、これらの情報処理装置における画面制御プログラム及び画面表示方法に広く適用することができる。
【００２６】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００２７】
情報処理装置１にあっては、ディスプレイ３にタッチパネル（タブレット）３ａが一体化されて組み込まれており、ディスプレイ３に表示された表示画面の所定の位置を指や図示しない専用の入力ペン（スタイラス）によってタップ操作することにより選択操作や入力操作等の各種の操作を行うことができる。
【００２８】
図２は、情報処理装置のハードウェア構成例を示したものであり、装置本体部１００及び外部機器との接続用装置（インターフェース装置）２００を示している。
【００２９】
先ず、装置本体部１００内の構成について説明する。
【００３０】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、液晶表示デバイス等のグラフィック表示装置１０５（上記ディスプレイ３と同じ）、制御装置１０４が接続されている。
【００３１】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００３２】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、装置本体部１００への着脱が可能な半導体メモリ装置、例えば、スティック状のメモリ媒体のデータを読み書きするための制御用デバイス１０８や、カード型の記憶媒体等の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００３３】
制御装置１０４には、ＬＡＮ（Local Area Network）接続用デバイス１１０が接続されるとともに、タッチ式パネル等を用いた入力用デバイス１１１がＵＳＢ（Universal Serial Bus）ポートに接続されている。
【００３４】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００３５】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。あるいは、マイクロフォンを備えた装置形態では、音声入力データをディジタル化する処理等を行う。
【００３６】
記憶装置１１６には、コンピュータを動作させるための制御プログラム等が格納されており、ＬＰＣ(Low Pin Count：シリアルバス）等を用いて制御装置１０４、１１７に接続されている。
【００３７】
制御装置１１７は、各種信号の制御を行う汎用装置であり、例えば、「ＥＣ」（Embedded Controller：組み込みコントローラ）が用いられ、キーボードコントローラの機能や、システムの電源制御やシステムの付加機能等について制御を行う（携帯型機器等ではマイクロコンピュータが搭載されている。）。尚、記憶装置１１６内の制御プログラムを変更することによってコンピュータの制御方法を変えることができる。
【００３８】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、装置本体部１００に設けられたスイッチや操作釦等を含む操作部１１９からの信号が制御装置１１７に送出される。
【００３９】
装置本体部１００に外部機器を直接的に接続するための接続部１２０としては、ＵＳＢコネクタが設けられており、接続部１２０は制御装置１１７に接続されている。
【００４０】
尚、図示しない電源部には、ＡＣアダプタからの商用電源電圧の供給、あるいは二次電池や燃料電池等を用いたバッテリパックからの直流電源供給が行われる。例えば、上記ＥＣ（制御装置１１７）は、ＡＣアダプタやバッテリパック等の接続や装着の状態を検出したり、バッテリ残量等を含む各種の管理情報を保持している。
【００４１】
次に、接続用装置２００の構成について説明する。
【００４２】
装置本体部１００については、コネクタ等の接続手段を介して接続用装置２００に接続することにより、図示しない外部機器との間で信号伝送が行われる。
【００４３】
ＶＧＡ(Video Grapthics Array)コネクタ等で外部ディスプレイ装置を接続するためのコネクタ部２０１は、装置本体部１００内の制御装置１０２に接続され、これにより外部ディスプレイ装置に対して画像信号等が出力される。
【００４４】
また、「IEEE 1394」規格に準拠した外部機器等を接続するためのコネクタ部２０２が、装置本体部１００内の上記デバイス１０７に接続され、ＬＡＮケーブル等を接続するためのコネクタ部２０３が装置本体部１００内の上記デバイス１１０に接続されるようになっている。
【００４５】
装置本体部１００内の制御装置１０４に接続される集線用デバイス２０４には、ＵＳＢハブが用いられ、本例では、接続用装置２００に４つのＵＳＢコネクタ２０５、２０５、…が付設され、各ＵＳＢコネクタ２０５、２０５、・・・が集線用デバイス２０４（ＵＳＢハブ）に接続されている。
【００４６】
筐体２の所定の位置には、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００４７】
センター釦４ａ、左釦４ｂ、右釦４ｃはそれぞれマウスの各釦に相当する釦であり、ズーム釦４ｄはディスプレイ３に表示される表示画面５（図３参照）の拡大縮小を行う釦であり、ローテーション釦４ｅは表示画面５を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示される後述するポインターを移動させる等の釦であり、ファンクション選択釦４ｉは出力される音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００４８】
ディスプレイ３には、使用者の操作によって所望の表示画面５が表示される（図３参照）。表示画面５は、情報処理装置１に実装された各ソフトウェアを実行することにより表示され、表示画面５としては、例えば、文字情報、数字情報、記号情報等を入力することのできるソフトウェアに関する画面がある。図３には、例として、文字情報（テキストデーター）を入力することのできるソフトウェアの表示画面５が表示された状態を示す。
【００４９】
このような表示画面５の表示は、例えば、情報処理装置１の電源投入後に表示される初期画面上に表示されるソフトウェアを実行するための各アイコンやソフトウエアを示すタイトルバーを、指や専用の入力ペンによって２回連続してタップ操作することにより行われる。
【００５０】
表示画面５上には仮想入力用画面６を表示することができる（図４参照）。仮想入力用画面６は、手書き入力を行うための複数の入力枠領域７、７、・・・の他、所定の処理を実行するための処理釦８、８、・・・や入力された文字が表示される表示部９等を有している。
【００５１】
仮想入力用画面６の表示画面５上への表示は、例えば、起動釦４ｊ又は仮想入力用画面６を表示するための図示しないタイトルバーを操作することにより行うことができる。
【００５２】
仮想入力用画面６は表示画面５上で移動可能とされている。従って、右手による入力の場合又は左手による入力の場合によらず、操作し易い位置に仮想入力用画面６を移動させることにより、操作性の向上を図ることができる。
【００５３】
仮想入力用画面６の入力枠領域７、７、・・・の下端部には、それぞれ文字の種類を変換するための変換キー７ａ、７ａ、・・・が表示される。尚、変換キー７ａ、７ａ、・・・は、入力枠領域７、７、・・・に対する手書きによる文字入力が行われ書体変換、即ち、辞書ファイルから読み出された文字への変換が行われた後に表示される。変換キー７ａ、７ａ、・・・を操作することにより、書体変換された文字の種類の変換、例えば、ひらがな、カタカナ、漢字、記号等への変換を行うことが可能とされる。
【００５４】
処理釦８、８、・・・としては、例えば、変換釦、バックスペース釦、スペース釦、エンター釦、スクロール釦等が設けられている（図５参照）。
【００５５】
変換釦は入力枠領域７、７、・・・に入力され表示部９に表示された文字の種類の変換等を行うための釦であり、バックスペース釦は入力された文字の削除を行うための釦であり、スペース釦はスペースの入力を行うための釦であり、エンター釦は入力された文字の確定等を行うための釦であり、スクロール釦は所望の入力位置への移動を目的としてスクロールするための釦である。
【００５６】
例えば、図４に示すように、文字情報を入力することのできるソフトウェアの表示画面５が表示された状態において、入力枠領域７、７、・・・に文字等の入力を行いエンター釦を操作することにより、表示画面５の所望の位置に入力した文字を表示することができる。図４には、例として、使用者が入力枠領域７、７、・・・に入力した「ばらが」の文字が表示画面５に表示され、「ばらが」の後に「さいた」の文字を使用者が入力枠領域７、７、・・・に入力した場合を示している。
【００５７】
情報処理装置１にあっては、複数の入力枠領域７、７、・・・のうち、使用者が文字等の入力を行おうとする入力枠領域７である対象入力枠領域が、他の入力枠領域７、７、・・・より大きく表示される（図５乃至図１２参照）。尚、以下の説明にあっては、対象入力枠領域については、他の入力枠領域７、７、・・・と区別するために、符号「７」の後にＡ、Ｂ、Ｃ、・・・を付し、入力枠領域７Ａ、７Ｂ、７Ｃ、・・・として示す。
【００５８】
表示画面５に仮想入力用画面６が表示されると、その初期状態においては、同じサイズの入力枠領域７、７、・・・が仮想入力用画面６内に表示される（図５参照）。
【００５９】
次いで、表示画面５上に表示されるポインター１０が、任意の入力枠領域７に移動されると、その入力枠領域７がアクティブ状態となり、他の入力枠領域７、７、７よりサイズが大きくされる（図６参照）。例えば、入力枠領域７、７、・・・のうち、最も左側に位置する入力枠領域７にポインター１０が移動されると、その入力枠領域７が他の入力枠領域７、７、７より大きく表示され、対象入力枠領域７Ａとされる。このとき対象入力枠領域７Ａ以外の入力枠領域７、７、７はアクティブ状態になく、手書き入力を受け付けない状態とされている。対象入力枠領域７Ａは隣接する入力枠領域７に一部がオーバーラップした状態で表示される。
【００６０】
入力枠領域７は、例えば、ビットマップ形式のデーターとして作成されており（CBitmapButton）、入力枠領域７に対する検出状態がWM_MOUSEMOVEメッセージを用いて行われる（検出工程）。ポインター１０が入力枠領域７内に移動され、出力されるON_WM_MOUSEMOVEメッセージに基づきポインター１０の座標数値が入力枠領域７内の座標数値に含まれる値となったときに、この入力枠領域７のビットマップ画像表示が変換されアクティブ状態とされる。従って、この入力枠領域７が対象入力枠領域７Ａとされ他の入力枠領域７、７、・・・よりサイズが大きくされる（表示制御工程）。
【００６１】
アクティブ状態とされた対象入力枠領域７Ａに入力ペン等により文字等の入力が開始されると、WM_LBUTTONDOWNメッセージが出力される。図７には対象入力枠領域７Ａに文字「ば」が入力された状態を示す。文字等の入力中は、ポインター１０の動きに合わせてWM_MOUSEMOVEメッセージが出力される。
【００６２】
手書きによる文字等の入力が終了しWM_MOUSEMOVEメッセージの出力が一定時間停止されると、活字表示に切り替えられ上記した書体変換が行われる（図８参照）。
【００６３】
次に、ポインター１０が右隣の入力枠領域７に移動されると、その入力枠領域７がアクティブ状態となり対象入力枠領域７Ｂとされ、他の入力枠領域７、７、７よりサイズが大きくされる（図９参照）。対象入力枠領域７Ｂは両隣りの入力枠領域７に一部がオーバーラップした状態で表示される。
【００６４】
アクティブ状態とされた対象入力枠領域７Ｂに入力ペン等により文字等の入力が開始されると、WM_LBUTTONDOWNメッセージが出力される。図１０には対象入力枠領域７Ｂに文字「ら」が入力された状態を示す。文字等の入力中は、ポインター１０の動きに合わせてWM_MOUSEMOVEメッセージが出力され、文字等の入力が終了しWM_MOUSEMOVEメッセージの出力が一定時間停止されると、活字表示に切り替えられ書体変換が行われる。
【００６５】
以下、上記と同様にして、他の入力枠領域７、７、・・・よりサイズが大きくされた対象入力枠領域７Ｃ、７Ｄ、・・・に文字が入力される（図１１参照）。
【００６６】
尚、情報処理装置１においては、最も右側に位置する対象入力枠領域７Ｄに文字等の入力が行われ書体変換が行われると、最も左側に位置する入力枠領域７が空白となりこの入力枠領域７が再び対象入力枠領域７Ａとされる。
【００６７】
以上に記載した通り、情報処理装置１にあっては、仮想入力用画面６の入力枠領域７、７、・・・のうち、手書き入力の対象とされている対象入力枠領域７Ａ（７Ｂ、７Ｃ、・・・）を他の入力枠領域７、７、・・・より大きく表示するようにしたので、表示可能な入力枠領域７、７、・・・の数をディスプレイ３の大きさに制限されることなく増やすことができ、入力操作における使い勝手の向上を図ることができる。
【００６８】
また、入力に必要とされる対象入力枠領域７Ａ、７Ｂ、・・・のサイズのみが大きくされるため、ディスプレイ３上の無駄な領域の占有面積を低減することができ、情報処理装置１の小型化を図ることができる。
【００６９】
尚、上記には、ポインター１０が移動された入力枠領域７を対象入力枠領域７Ａ、７Ｂ、・・・としてサイズを大きくする場合を例として示したが、例えば、仮想入力用画面６が表示画面５に表示されたときに、常に、所定の入力枠領域７が対象入力枠領域７Ａとして大きなサイズで表示され、対象入力枠領域７Ａに対する文字等の入力が行われ書体変換が行われたときに自動的に隣接する入力枠領域７が対象入力枠領域７Ｂ、７Ｃ、・・・としてサイズが大きく表示されるようにしてもよい。
【００７０】
また、図１２に示すように、対象入力枠領域７Ａ、７Ｂ、・・・以外の入力枠領域７、７、・・・を、対象入力枠領域７Ａ、７Ｂ、・・・から遠去かるに従って漸次小さく表示するようにしてもよい。
【００７１】
このように対象入力枠領域７Ａ、７Ｂ、・・・から遠去かるに従って他の入力枠領域７、７、・・・を漸次小さく表示することにより、一層の無駄な領域の占有面積の低減を図ることができる。
【００７２】
さらに、図１２に示すように、対象入力枠領域７Ａ、７Ｂ、・・・を、常に、入力枠領域７、７、・・・の中央又は中央寄りに位置するように表示するようにしてもよい。
【００７３】
このように対象入力枠領域７Ａ、７Ｂ、・・・を、常に、入力枠領域７、７、・・・の中央又は中央寄りに位置するように表示することにより、常に、使用者が同じ位置に文字等を入力することができ、入力操作における一層の使い勝手の向上を図ることができる。
【００７４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７５】
【図１】図２乃至図１２と共に本発明の最良の形態を示すものであり、本図は情報処理装置の斜視図である。
【図２】情報処理装置のハードウェア構成例を示したブロック図である。
【図３】表示画面が表示された状態を示す正面図である。
【図４】表示画面と仮想入力用画面が表示された状態を示す正面図である。
【図５】仮想入力用画面が表示された初期状態を示す拡大正面図である。
【図６】１つの入力枠領域のサイズが拡大されて対象入力枠領域が表示された状態を示す拡大正面図である。
【図７】最も左側に位置する対象入力枠領域に文字が入力された状態を示す拡大正面図である。
【図８】図７に引き続き書体変換が行われた状態を示す拡大正面図である。
【図９】図８に引き続き別の対象入力枠領域が表示された状態を示す拡大正面図である。
【図１０】図９に引き続き対象入力枠領域に文字が入力された状態を示す拡大正面図である。
【図１１】図１０に引き続きまた別の対象入力枠領域に文字が入力された状態を示す拡大正面図である。
【図１２】仮想入力用画面の別の例を示す拡大正面図である。
【符号の説明】
【００７６】
１…情報処理装置、３…ディスプレイ、３ａ…タッチパネル、５…表示画面、７…入力枠領域、７Ａ（７Ｂ、７Ｃ、・・・）…対象入力枠領域
【図１】
2006011680.tif 000003
【図２】
2006011680.tif 000004
【図３】
2006011680.tif 000005
【図４】
2006011680.tif 000006
【図５】
2006011680.tif 000007
【図６】
2006011680.tif 000008
【図７】
2006011680.tif 000009
【図８】
2006011680.tif 000010
【図９】
2006011680.tif 000011
【図１０】
2006011680.tif 000012
【図１１】
2006011680.tif 000013
【図１２】
2006011680.tif 000014